【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
特色を含む複数の分版色を重ね合わせて可視像を形成するための出力画像データを生成する画像処理装置であって、
画像データを入力する入力手段と、
前記入力した画像データから、異なる分版色によって形成される、境界を共有する二つの領域を検出する検出手段と、
前記二つの領域の色差が所定の閾値以下の場合にトラッピング処理を行う第一のトラッピング手段とを有し、
前記第一のトラッピング手段は、前記トラッピング処理により生成するトラップ領域と、前記トラップ領域の生成により拡大する、前記二つの領域の一方の形成に使用する分版色を、画像データを分版色のデータに変換するルックアップテーブルを参照して予測し、分版色の版ずれにより前記境界付近に白抜けが発生するか否かの判定結果に応じて前記トラッピング処理を行うことを特徴とする画像処理装置。
【請求項２】
前記第一のトラッピング手段は、センタトラッピングが設定されている場合、前記予測および判定を行わずに、前記二つの領域に対して前記センタトラッピングを行うことを特徴とする請求項1に記載された画像処理装置。
【請求項３】
前記第一のトラッピング手段は、前記白抜けが発生すると判定した場合、前記拡大する領域または前記二つの領域の色情報を加工して、前記トラップ領域と前記拡大する領域が同じ分版色を使用し、かつ、その濃度が所定値以上になるように前記トラップ領域を生成することを特徴とする請求項1に記載された画像処理装置。
【請求項４】
前記第一のトラッピング手段は、前記白抜けが発生すると判定した場合、前記トラップ領域と前記拡大する領域が同じ分版色を使用し、かつ、その濃度が所定値以上になるように前記トラップ領域を生成することを特徴とする請求項1に記載された画像処理装置。
【請求項５】
前記第一のトラッピング手段は、前記白抜けが発生すると判定した場合、前記二つの領域に対してセンタトラッピングを行うことを特徴とする請求項1に記載された画像処理装置。
【請求項６】
前記第一のトラッピング手段は、前記白抜けが発生すると判定した場合、前記トラップ領域の生成方法を変更した場合に前記白抜けが発生するか否かを再判定し、前記再判定により前記白抜けが発生しないと判定した場合は、前記生成方法を変更して前記二つの領域に前記トラッピング処理を行うことを特徴とする請求項1に記載された画像処理装置。
【請求項７】
さらに、前記二つの領域の色差が前記所定の閾値未満の場合に、前記二つの領域の形成に共通する分版色を前記ルックアップテーブルを参照して予測し、前記共通の分版色の濃度に応じて前記トラッピング処理を行う第二のトラッピング手段を有することを特徴とする請求項1から請求項6の何れか一項に記載された画像処理装置。
【請求項８】
前記第二のトラッピング手段は、前記共通の分版色の濃度が所定値未満の場合、前記二つの領域の濃色領域側にトラップ領域を生成し、前記二つの領域の薄色領域または前記二つの領域の色情報を加工して、前記トラップ領域と前記薄色領域が同じ分版色を使用し、かつ、その濃度が前記所定値以上になるように前記トラップ領域を生成することを特徴とする請求項7に記載された画像処理装置。
【請求項９】
前記第二のトラッピング手段は、前記共通の分版色の濃度が所定値未満の場合、前記二つの領域の濃色領域側にトラップ領域を生成し、前記トラップ領域と前記二つの領域の薄色領域が同じ分版色を使用し、かつ、その濃度が前記所定値以上になるように前記トラップ領域を生成することを特徴とする請求項7に記載された画像処理装置。
【請求項１０】
特色を含む複数の分版色を重ね合わせて可視像を形成するための出力画像データを生成する画像処理方法であって、
画像データを入力し、
前記入力した画像データから、異なる分版色によって形成される、境界を共有する二つの領域を検出し、
前記二つの領域の色差が所定の閾値以下の場合は、トラッピング処理により生成するトラップ領域と、前記トラップ領域の生成により拡大する、前記二つの領域の一方の形成に使用する分版色を、画像データを分版色のデータに変換するルックアップテーブルを参照して予測し、分版色の版ずれにより前記境界付近に白抜けが発生するか否かの判定結果に応じて前記トラッピング処理を実行することを特徴とする画像処理方法。
【請求項１１】
画像処理装置を制御して、請求項10に記載された画像処理を実現することを特徴とするプログラム。
【手続補正２】
【補正対象書類名】明細書
【補正対象項目名】発明の名称
【補正方法】変更
【補正の内容】
【発明の名称】画像処理装置、画像処理方法およびプログラム
【手続補正３】
【補正対象書類名】明細書
【補正対象項目名】００２３
【補正方法】変更
【補正の内容】
【００２３】
本発明にかかる画像処理は、特色を含む複数の分版色を重ね合わせて可視像を形成するための出力画像データを生成する画像処理方法であって、画像データを入力し、前記入力した画像データから、異なる分版色によって形成される、境界を共有する二つの領域を検出し、前記二つの領域の色差が所定の閾値以下の場合は、トラッピング処理により生成するトラップ領域と、前記トラップ領域の生成により拡大する、前記二つの領域の一方の形成に使用する分版色を、画像データを分版色のデータに変換するルックアップテーブルを参照して予測し、分版色の版ずれにより前記境界付近に白抜けが発生するか否かの判定結果に応じて前記トラッピング処理を実行することを特徴とする。
【手続補正４】
【補正対象書類名】明細書
【補正対象項目名】００２４
【補正方法】削除
【補正の内容】
【手続補正５】
【補正対象書類名】明細書
【補正対象項目名】００２８
【補正方法】変更
【補正の内容】
【００２８】
CPU20は、RAM24をワークメモリとして、ROM23に格納されたプログラムを実行し、システムバス29を介して画像形成装置30全体を制御するとともに、後述する処理を含む各種処理を行う。ROM23は、上記のプログラムのほか、フォントデータなども記憶する。RAM24は、CPU20により処理ごとにプログラムおよびデータがロードされ、装置外から受信した画像データなどのバッファ領域としても利用される。
【手続補正６】
【補正対象書類名】明細書
【補正対象項目名】００３４
【補正方法】変更
【補正の内容】
【００３４】
ホストコンピュータ22は、作成、編集、加工した画像データに基づき、PDLデータを生成し、その他の制御情報とともにPDLデータを画像形成装置30に送信する。画像形成装置30のCPU20は、受信したPDLデータを、解釈し、各オブジェクトの輪郭をパスデータとしてもつレンダリング用の中間データに変換し、様々な画像処理を行う。そして、画像処理後の中間データと制御情報を画像処理エンジン27に渡す。画像処理エンジン27は、制御情報に従い、中間データを分版色それぞれに対応するラスタデータにレンダリングする。
【手続補正７】
【補正対象書類名】明細書
【補正対象項目名】００３６
【補正方法】変更
【補正の内容】
【００３６】
［画像処理］
図13は実施例1のトラッピング処理を説明するフローチャートで、CPU20または画像処理エンジン27、あるいは、CPU20と画像処理エンジン27が協同して実行する処理である。なお、分版色の版ずれは、画像形成装置30における分版色の不完全な配置や、不完全な可視画形成、記録媒体の不完全な搬送などに起因する。
【手続補正８】
【補正対象書類名】明細書
【補正対象項目名】００４４
【補正方法】変更
【補正の内容】
【００４４】
センタトラッピングを行う設定の場合は、通常のセンタトラッピングを行う(S12)。
【手続補正９】
【補正対象書類名】明細書
【補正対象項目名】００４５
【補正方法】変更
【補正の内容】
【００４５】
また、センタトラッピングを行わない設定の場合は、（図16や図17に示す領域11、10のように）トラッピング処理によって生成されるトラップ領域を生成して、その色情報を調べ(S13)、トラップ領域の分版色を予測する(S14)。つまり、CPU20は、画像データを分版色データに変換する画像処理エンジン27のLUTを参照してトラップ領域の分版色を予測する。